(57)【要約】【課題】昇降駆動部を構成する部品を少なくして装置を小型化する。しかも簡易な制御によってスムーズに且つ静粛に揺動支持脚を起伏させる。【解決手段】ベース２の両側部に、起伏可能に揺動支持脚４，４、５，５を取り付ける。揺動支持脚４，４、５，５の上端に座椅子載置台１４を取り付ける。座椅子載置台１４は両側部を直角に立ち上がらせ、垂直部分１４ａの外側に揺動支持杆４，４、５，５の上端を枢着する。ベース２の上面に揺動可能にシリンダー１５を取り付ける。シリンダー１５のピストンロッド１５ａの先端を、後部側の揺動支持脚５，５間に架設した軸杆１２に回動自在に連結する。下部の適所に車輪１８，１８、１９，１９を取り付ける。また後部側の車輪１９，１９は、揺動支持脚５，５が倒伏したときにはベース２より上になるように持ち上がる。【選択図】　　　　　　図２
2004141243.tif 000002
【特許請求の範囲】
【請求項１】
平板状のベースの両側部に、該ベースに対して起伏可能に揺動支持脚を取り付けると共に、該揺動支持脚の上端に座椅子載置台を取り付け、更に前記ベースの上面に上下方向揺動可能に取り付けたシリンダーのピストンロッドの先端を、後部側の揺動支持脚間に架設した軸杆に回動自在に連結し、該シリンダーのピストンロッドの伸出と退入を介して揺動支持脚を起伏させるようにし、更に下部の適所に車輪を取り付けた座椅子用昇降台。
【請求項２】
座椅子載置台を、平板の両側部を座椅子の厚味に応じて所要の高さに直角に立ち上がらせた構成とし、該座椅子載置台の両側の垂直部分の外側に揺動支持脚の上端を枢着した請求項１記載の座椅子用昇降台。
【請求項３】
前部側の車輪をベースの両側部に取り付ける一方、後部側の車輪を、後部側の各揺動支持脚の下端部における枢着部よりも後方に軸着した請求項１又は２記載の座椅子用昇降台。
【発明の詳細な説明】
【０００１】
【特許文献１】
登録第３００６２２２号登録実用新案公報
【特許文献２】
特許第２８１９１１０号特許公報
【０００２】
【発明の属する技術分野】
本発明は足の悪い人や老人、病人等で身体の弱った人が容易に立ち易くするための座椅子用昇降台に関するものである。
【０００３】
【従来の技術】
本発明者は、先に上記特許文献１、２に示された座椅子用昇降台を案出した。図７は特許文献１に示されたものであり、平板状のベース１００の両側部に、該ベース１００に対して起伏可能に揺動支持脚１０１，１０１を取り付けると共に、該揺動支持脚１０１，１０１の上端に平板状の座椅子載置台１０２を取り付け、更にこれらベース１００と座椅子載置台１０２との間にエアバッグ１０３を介在させ、このエアバッグ１０３にコンプレッサ１０４からのエアを導入して膨張させ、座椅子載置台１０２を上昇させるものである。尚、１０５，１０５は揺動支持脚１０１，１０１の枢着部、１０６はコンプレッサの操作スイッチである。
【０００４】
しかし上記座椅子用昇降台は、エア給排部によってエアを給排しエアバッグの膨縮動作により座椅子載置台を昇降させるものであるため、座椅子載置台の昇降速度の調節制御のために装置が大型化し、かつエアの給排音が避けられないという問題点があった。加えて動きがスムーズでないという問題点もあった。
【０００５】
そこで、この問題点を解消するために、本発明は上記特許文献２に示された座椅子用昇降台を案出した。図８及び図９は特許文献２に示されたものであり、平板状のベース１０７の両側部に、該ベース１０７に対して起伏可能に揺動支持脚１０８，１０８を取り付けると共に、該揺動支持脚１０８，１０８の上端に平板状の座椅子載置台１０９を取り付け、更に前記揺動支持脚１０８，１０８に対してスライド可能に係合する係合部１１０と、この係合部１１０を揺動させて揺動支持脚１０８，１０８を起伏させ得る揺動腕１１１とからなる昇降駆動部１１２によって座椅子載置台１０９を昇降させるものである。尚、１１３，１１３は揺動支持脚１０８，１０８の枢着部、１１４は減速機付き電動機、１１４ａは減速機構付き電動機１１４の減速部、１１４ｂは減速軸、１１５は減速ギヤ部、１１６は揺動腕１１１の支持軸、１１７は前記係合部１１０におけるローラベース、１１８，１１８は該ローラベース１１７から並立するローラであり、前記揺動支持脚１０８を転動可能に挟むものである。また１１９は前記座椅子載置台１０９上に載置する座椅子である。
【０００６】
この座椅子用昇降台は、前記特許文献１の問題点をある程度解消することができ、動きがスムーズになると共に音も静かにすることができた。しかしながら、まだ昇降駆動部を構成する部品が多くて装置が大型であるという点は解消されていない。そして、実際に使用するにあたっては座椅子用昇降台を移動可能にした方が使い勝手が良く、そのようにして欲しいという要望があった。
【０００７】
【発明が解決しようとする課題】
本発明は上記の点に鑑みなされたものであって、昇降駆動部を構成する部品を少なくして装置を小型化し、しかも簡易な制御によってスムーズに且つ静粛に揺動支持脚の起伏動作をさせることができ、加えて容易に移動することができるようにした座椅子用昇降支持台を提供せんとするものである。
【０００８】
【課題を解決するための手段】
本発明の要旨とするところは、平板状のベースの両側部に、該ベースに対して起伏可能に揺動支持脚を取り付けると共に、該揺動支持脚の上端に座椅子載置台を取り付け、更に前記ベースの上面に上下方向揺動可能に取り付けたシリンダーのピストンロッドの先端を、後部側の揺動支持脚間に架設した軸杆に回動自在に連結し、該シリンダーのピストンロッドの伸出と退入を介して揺動支持脚を起伏させるようにし、更に下部の適所に車輪を取り付けたことにある。
【０００９】
また、上記構成において、座椅子載置台を、平板の両側部を座椅子の厚味に応じて所要の高さに直角に立ち上がらせた構成とし、該座椅子載置台の両側の垂直部分の外側に揺動支持脚の上端を枢着するようにしてもよい。
この場合には座椅子載置台上に載置する座椅子の床面からの高さを下げることができる。即ち、例えば座椅子載置台を一枚の平板で構成し、そしてこの平板の下面に揺動支持脚を枢着するようにした場合には、平板の厚味と揺動支持脚の枢着部材（支承板）の高さの分だけ必然的に座椅子の床面からの高さが高くなる。然るに、本発明の如き座椅子用昇降台にあってはこのことは好ましくないことであり、座椅子の床面からの高さは低ければ低い程良い。そこで、本発明の構成によれば、座椅子の床面からの高さを下げることができるのである。
【００１０】
また、上記構成において、前部側の車輪をベースの両側部に取り付ける一方、後部側の車輪を、後部側の各揺動支持脚の下端部における枢着部よりも後方でかつ上側に軸着するようにしてもよい。この場合には揺動支持脚を倒伏させて座椅子載置台を降下させたとき、後部側の車輪がベースから上に持ち上がり、座椅子が若干後傾になる。したがって、座椅子に座った者が座椅子の背凭れに寄りかかる状態となり、身体の安定保持に役立つ。
【発明の実施の形態】
【００１１】
以下、本発明の実施の形態について図面を参照にして説明する。
図１は前方からの斜視図、図２は後方側からの斜視図、図３は揺動支持脚の起伏動作の説明図、図４はシリンダーによる後部側の揺動支持脚の作動説明図、図５は座椅子載置台が降下した状態の側面図、図６は座椅子載置台が上昇した状態の側面図である。
【００１２】
図中、１は座椅子用昇降台である。２は平板状のベースである。また、本実施形態では上記ベース２の両側の前部に前方に向けて車輪取り付け板３，３を張り出している。また、ベース２の後端部には、床面との接触部分にゴム（図示せず）を取り付けている。
【００１３】
４，４、５，５は前記ベースに対して起伏可能に取り付けた揺動支持脚であり、これら揺動支持脚４，４、５，５の上端部は後記座椅子載置台の両側の垂直部分の外側に枢着している。また、前部側の揺動支持脚４，４は、上端部を軸６によって座椅子載置台に直接枢着し、また下端部はベース２上に固定した支承板７に軸８によって枢着している。
【００１４】
また、後部側の揺動支持脚５，５は、上端部を軸９によって座椅子載置台に直接枢着し、また下端部はベース２上に固定した支承板１０に軸１１によって枢着している。また、後部側の揺動支持脚５，５は、後部側への張り出し部５ａ，５ａを一体的に形成し、該張り出し部５ａ，５ａ間に軸杆１２を架設している。また、本実施形態では、該張り出し部５ａ，５ａの先端に小車輪１３，１３を取り付けている。
【００１５】
１４は前記揺動支持脚４，４、５，５の上端に取り付ける座椅子載置台であり、本実施形態では、平板の両側部を座椅子の厚味に応じて所要の高さに直角に立ち上がらせ、更にその上端部を外側に直角に折曲したものが用いられている。なお、１４ａは該座椅子載置台１４の垂直部分、１４ｂは外側に折曲した部分である。
【００１６】
１５は前記ベース２の上面に上下方向揺動可能に取り付けたシリンダーである。また、該シリンダー１５は、ベース２上に固定した支承板１６に軸１７をもって枢着されており、そのピストンロッド１５ａの先端は前記軸杆１２に回動自在に連結している。尚、該軸１７と前記軸杆１２との位置関係は、軸杆１２の方が軸１７より上に位置している。
【００１７】
１８，１８は前記ベース２の前方に張り出した車輪取り付け板３，３の下面に取り付けた前部側の車輪であり、本実施形態ではストッパー付きキャスターを用いている。
【００１８】
１９，１９は前部側の車輪１８，１８よりも大径の後部側の車輪であり、後部側の各揺動支持脚５，５の下端部における枢着部よりも後方かつ上側に軸着するようにしている。即ち、後部側の車輪１９の軸２０の位置を揺動支持脚５，５の下端部における枢軸１１より後方かつ上側になるようにしている。また、２１は座椅子を示す。
【００１９】
次に、本実施形態の作用について説明する。
図５は座椅子２１に使用者が座った状態である。この状態は、図３及び図４において鎖線で示す如く、シリンダー１５のピストンロッド１５ａが退入している。そしてコントロールスイッチ（図示せず）を操作してシリンダー１５を作動し、そのピストンロッド１５ａを伸出させると、後部側の揺動支持脚５，５はこれに押されて、軸１１を支点として回動する。またこれに伴い、これと同時に前部側の揺動支持脚４，４も軸８を支点として回動する。そしてこのようにして前後の揺動支持脚４，４、５，５が起立した状態が、図３及び図４において実線で示した状態、並びに図６に示した状態である。
【００２０】
また、図５に示した座椅子載置台１４が降下している状態にあっては、図４に示す如く、後部側の車輪１９の軸２０は後部側の揺動支持脚５の回動に伴ってこれの軸１１より上部側に回り込む。したがって、該後部側の車輪１９はベース２から上に持ち上がり、座椅子が若干後傾する。
【００２１】
【発明の効果】
本発明は上記の如き構成、作用であり、揺動支持脚の起伏動作をシリンダーによって行うようにしたから、本発明者が先に案出したものよりも小型に構成することができ、しかも簡易な操作によってスムーズに且つ静粛に行うことができる。加えて容易に移動させることもできるのである。
【００２２】
また、請求項２の構成とした場合には、座椅子の床面からの高さを下げることができるのである。
【００２３】
また、請求項３の構成とした場合には、座椅子載置台を降下させたとき、後部側の車輪がベースから上に持ち上がり、座椅子が若干後傾するのである。したがって、座椅子に座った者が座椅子の背凭れに寄りかかる状態となり、身体の安定保持に役立つのである。
【図面の簡単な説明】
【図１】本発明の前方側からの斜視図である。
【図２】本発明後方側からの斜視図である。
【図３】揺動支持脚の起伏動作の説明図である。
【図４】シリンダーによる後部側の揺動支持脚の作動説明図である。
【図５】座椅子載置台が降下した状態の側面図である。
【図６】座椅子載置台が上昇した状態の側面図である。
【図７】特許文献１記載の座椅子用昇降台の斜視図である。
【図８】特許文献２記載の座椅子用昇降台の側面図である。
【図９】特許文献２記載の座椅子用昇降台における揺動支持脚の駆動機構部の斜視図である。
【符号の説明】
１　　座椅子用昇降台
２　　ベース
４，４　　前部側の揺動支持脚
５，５　　後部側の揺動支持脚
１２　　軸杆
１４　　座椅子載置台
１４ａ　　座椅子載置台の垂直部分
１５　　シリンダー
１５ａ　　ピストンロッド
１８，１８　　前部側の車輪
１９，１９　　後部側の車輪
【図１】
2004141243.tif 000003
【図２】
2004141243.tif 000004
【図３】
2004141243.tif 000005
【図４】
2004141243.tif 000006
【図５】
2004141243.tif 000007
【図６】
2004141243.tif 000008
【図７】
2004141243.tif 000009
【図８】
2004141243.tif 000010
【図９】
2004141243.tif 000011